(57)【特許請求の範囲】
【請求項１】
放電用ガスが封入された放電容器を有するエキシマランプと、前記放電用ガスに紫外線を照射する始動補助光源とを備えたエキシマランプ装置において、
前記放電容器は有効発光領域の軸方向範囲において一様な放電距離を有し、前記始動補助光源と前記エキシマランプとが空間的に連通し酸素を含有した気体で満たされた状態で対向しており、前記気体の紫外線透過率の波長による違いを利用して、前記エキシマランプから放射される紫外線が前記気体を透過して減衰することで前記始動補助光源には実質的に照射されず、前記エキシマランプから放射される紫外線の波長よりも長い波長の紫外線が前記始動補助光源から放射されて前記気体を透過して前記エキシマランプに照射されることを特徴とするエキシマランプ装置。
【請求項２】
前記始動補助光源の紫外線放射面と前記エキシマランプの紫外線放射面との間で前記気体が満たされた空間の距離が、
前記エキシマランプから放射される紫外線が前記気体を透過して減衰することで前記始動補助光源には実質的に照射されず、前記エキシマランプから放射される紫外線の波長よりも長い波長の紫外線が前記始動補助光源から放射されて前記気体を透過して前記有効発光領域に照射される距離であることを特徴とする請求項１に記載のエキシマランプ装置。
【請求項３】
前記放電容器は、
前記エキシマランプから放射される紫外線よりも前記始動補助光源から放射される紫外線に対して高い透過性を有し、肉厚が０．８ｍｍ〜１．５ｍｍ、内径が８ｍｍ〜２０ｍｍであることを特徴とする請求項１または２に記載のエキシマランプ装置。
【請求項４】
前記エキシマランプの紫外線放射面と前記始動補助光源の紫外線放射面との距離Ｌ１０［ｍｍ］は、
以下の式を満たすことを特徴とする請求項１乃至３のいずれか１項に記載のエキシマランプ装置。
２０≦Ｌ１０≦５０
【請求項５】
前記エキシマランプの紫外線放射面と前記始動補助光源の紫外線放射面との間には酸素を含有した気体が満たされ、前記エキシマランプの周囲の少なくとも一部には、前記エキシマランプから放射される紫外線に対して非透過性を有する遮光手段を設け、
前記エキシマランプの紫外線放射面と前記遮光手段との距離Ｌ１１［ｍｍ］、前記エキシマランプの紫外線放射面と前記補助光源の紫外線放射面との距離Ｌ１０［ｍｍ］としたとき、
以下の式を満たすことを特徴とする請求項１乃至４のいずれか1項に記載のエキシマランプ装置。
Ｌ１１≦Ｌ１０
【請求項６】
前記エキシマランプの周囲を流れる気体は酸素を含有した気体であり、前記気体の流れの下流側において、前記気体に含有するオゾンを除去するオゾン除去手段を設け、前記エキシマランプの周囲の少なくとも一部には、前記エキシマランプから放射される紫外線に対して非透過性を有する遮光手段を設け、
前記エキシマランプの紫外線放射面と前記始動補助光源の紫外線放射面との距離Ｌ１０［ｍｍ］、前記エキシマランプの紫外線放射面と前記遮光手段との距離Ｌ１１［ｍｍ］、前記エキシマランプの紫外線放射面と前記オゾン除去手段との距離Ｌ１３［ｍｍ］としたとき、
以下の式を満たすことを特徴とする請求項１乃至４のいずれか1項に記載のエキシマランプ装置。
Ｌ１１＜Ｌ１０≦Ｌ１３
【請求項７】
前記エキシマランプに対向して、前記エキシマランプにより紫外線照射される被照射物を配設し、前記エキシマランプの周囲の少なくとも一部には、前記エキシマランプから放射される紫外線に対して非透過性を有する遮光手段を設け、
前記エキシマランプの紫外線放射面と前記始動補助光源の紫外線放射面との距離Ｌ１０［ｍｍ］、前記エキシマランプの紫外線放射面と前記遮光手段までの距離Ｌ１１［ｍｍ］、前記エキシマランプの紫外線放射面と前記被照射物との距離Ｌ１４［ｍｍ］としたとき、
以下の式を満たすことを特徴とする請求項１乃至４のいずれか１項に記載のエキシマランプ装置。
Ｌ１４≦Ｌ１１＜Ｌ１０
【発明の詳細な説明】
【技術分野】
【０００１】
本発明は、エキシマランプ装置に関し、特に、細径のエキシマランプの点灯始動性を改善した小型のエキシマランプ装置に関する。
【背景技術】
【０００２】
エキシマランプは、誘電体バリア放電、あるいは容量結合型高周波放電によって放電発光することにより紫外線を放射する（特許文献１）。
【０００３】
このようなエキシマランプにおいては、低温状態や暗黒状態や長時間の休止状態後に、点灯始動するときには高い電圧が必要とされるので、点灯用電源が大型化して、エキシマランプ装置を小型にすることが困難であった。そこで、放電容器に封入された放電用ガスに始動補助光源により紫外光を照射した状態で、エキシマランプに電圧を印加することにより、エキシマランプの点灯性を改善する方法がある（特許文献２）。
【０００４】
しかしながら、小型のエキシマランプ装置を提供するという目的からは、このような大掛かりな構造を採用することができない。更に、放電容器の内径が２０ｍｍ以下であるような細径エキシマランプに対しては、始動補助光源による点灯性改善の効果が十分に得ることができないという問題があった。
【先行技術文献】
【特許文献】
【０００５】
【特許文献１】特開２０１２−０３８６５８号公報
【特許文献２】特開２０１２−１５７４１２号公報
【発明の概要】
【発明が解決しようとする課題】
【０００６】
本発明により解決しようとする課題は、簡素な構成によりエキシマランプの点灯始動性が改善した小型のエキシマランプ装置を提供することである。更に、放電容器の内径が２０ｍｍ以下であるような細径のエキシマランプの点灯始動性を改善することである。
【課題を解決するための手段】
【０００７】
本発明のエキシマランプ装置は、放電用ガスが封入された放電容器を有するエキシマランプと、放電用ガスに紫外線を照射する始動補助光源とを備え、始動補助光源とエキシマランプとが空間的に連通した状態で対向しており、エキシマランプから放射される紫外線が始動補助光源には実質的に照射されず、始動補助光源から放射される紫外線がエキシマランプに照射されることにより、始動補助光源がエキシマランプから放射される紫外線により急速に劣化することを防いだエキシマランプ装置を提供することができる。
【０００８】
更に、始動補助光源の紫外線放射面とエキシマランプの紫外線放射面との間の距離が、エキシマランプから放射される紫外線は始動補助光源には実質的に照射されず、始動補助光源から放射される紫外線はエキシマランプに照射される距離であることにより、始動補助光源がエキシマランプから放射される紫外線により急速に劣化することを防げる距離に配置されたエキシマランプ装置を提供することができる。
【０００９】
エキシマランプの放電容器は、有効発光領域のランプ軸方向範囲において一様な放電距離を有し、エキシマランプから放射される紫外線の波長よりも始動補助光源から放射される紫外線の波長に対して高い透過性を有し、エキシマランプの放電容器の肉厚が０．８ｍｍ〜１．５ｍｍ、内径が８ｍｍ〜２０ｍｍであることにより、細径のエキシマランプに対しても、その放電容器の形状を変更することなく、点灯始動性が改善されたエキシマランプ装置を提供することができる。
【００１０】
エキシマランプの紫外線放射面と始動補助光源の紫外線放射面との距離Ｌ１０［ｍｍ］は、２０≦Ｌ１０≦５０  を満たすことにより、始動補助光源の急速な劣化や、始動補助光源用を点灯させるための電源が大型になることを防ぎ、装置の構成が簡素な小型のエキシマランプ装置を提供することができる。
【００１１】
更に、エキシマランプの紫外線放射面と始動補助光源の紫外線放射面との間には酸素を含有した気体が満たされ、エキシマランプの周囲の少なくとも一部には、エキシマランプから放射される紫外線に対して非透過性を有する遮光手段を設け、エキシマランプの紫外線放射面と遮光手段との距離Ｌ１１［ｍｍ］、エキシマランプの紫外線放射面と始動補助光源の紫外線放射面との距離Ｌ１０［ｍｍ］としたとき、  Ｌ１１≦Ｌ１０  を満たすことで、オゾン生成機能、空気脱臭・殺菌機能を高め、簡素な構成によりエキシマランプの点灯始動性を改善した小型のエキシマランプ装置を提供することができる。
【００１２】
また、エキシマランプの周囲を流れる気体は酸素を含有した気体であり、この気体の流れの下流側において、気体に含有するオゾンを除去するオゾン除去手段を設け、エキシマランプの周囲の少なくとも一部には、エキシマランプから放射される紫外線に対して非透過性を有する遮光手段を設け、エキシマランプの紫外線放射面と始動補助光源の紫外線放射面との距離Ｌ１０［ｍｍ］、エキシマランプの紫外線放射面と遮光手段との距離Ｌ１１［ｍｍ］、エキシマランプの紫外線放射面とオゾン除去手段との距離Ｌ１３［ｍｍ］としたとき、Ｌ１１＜Ｌ１０≦Ｌ１３としたことにより、簡素な構成により細径のエキシマランプの点灯始動性を改善した小型の殺菌・脱臭装置を提供することができる。
【００１３】
また、エキシマランプに対向して、エキシマランプにより紫外線照射される被照射物を配設し、エキシマランプの周囲の少なくとも一部には、エキシマランプから放射される紫外線に対して非透過性を有する遮光手段を設け、エキシマランプの紫外線放射面と始動補助光源の紫外線放射面との距離Ｌ１０、エキシマランプの紫外線放射面と遮光手段までの距離Ｌ１１、エキシマランプの紫外線放射面と被照射物との距離Ｌ１４としたとき、Ｌ１４≦Ｌ１１＜Ｌ１０としたことにより、簡素な構成により細径のエキシマランプの点灯始動性を改善した小型の紫外線照射装置を提供することができる。
【発明の効果】
【００１４】
本発明によるエキシマランプ装置は、簡素な構成によりエキシマランプの点灯始動性が改善した小型のエキシマランプ装置を提供することができる。更に、放電容器の内径が２０ｍｍ以下であるような細径のエキシマランプに対しても、その放電容器の形状を変更することなく点灯始動性を改善することができる。
【図面の簡単な説明】
【００１５】
【図１】本発明による実施形態のエキシマランプ装置の概略構成を示す断面図である。
【発明を実施するための形態】
【００１６】
本発明による実施形態は、始動補助光源によりエキシマランプの点灯始動性を改善したエキシマランプ装置である。図１は、本発明による実施形態のエキシマランプ装置の構成を示す断面図である。
【００１７】
図１のエキシマランプ装置１は、装置の筐体６により周囲が覆われたランプ室６Ｌと電源室６Ｐからなる。エキシマランプ２が放射する紫外線を装置の筐体６により遮光して、エキシマランプ装置１の外部へ紫外線が放出することを防止する。
【００１８】
ランプ室６Ｌには、略中央にエキシマランプ２が配設され、装置の筐体６に吸気口８Ａと排気口８Ｂを設けることで、エキシマランプ装置１の外部と空間的に接続している。吸気口８Ａには、酸素を含有した気体をエキシマランプ装置１の外部から内部へ吸い込む吸気ファン９が配設される。エキシマランプ２より吸気口側には吸気側遮光板７Ａを設け、エキシマランプ２より排気口側には排気側遮光板７Ｂを設け、エキシマランプ２が放射する紫外線がエキシマランプ装置１の外部へ放出することを防止する。
【００１９】
電源室６Ｐには、エキシマランプ２、吸気ファン９、始動補助光源４などに電力を供給する電源３や、それらを制御する制御部（図示せず）が配設されている。
【００２０】
ランプ室６Ｌと電源室６Ｐとは、電源側遮光板７Ｃにより一部が遮られ、吸気口側と排気口側で空間的に接続している。電源側遮光板７Ｃは、エキシマランプ２から放射される紫外線が電源３などに照射されることを防ぎ、紫外線を照射することにより生成したガス（オゾンガスなど）が電源室６Ｐに流入することを防ぐ。電源側遮光板７Ｃには、始動補助光源４が始動補助光源保持構造４Ａを介して保持されている。始動補助光源４は、エキシマランプ２の中心軸の軸方向中央に向けて配設され、波長４００ｎｍ以下の紫外線を放射する。本実施形態においては、波長３９０ｎｍの紫外線を放射するＵＶ−ＬＥＤを用いた。
【００２１】
吸気ファン９により、エキシマランプ装置１の外部（大気中）から吸気口８Ａを通ってエキシマランプ装置１の内部に流入した空気は、主にランプ室６Ｌに流入し、一部が電源室６Ｐに流入する。ランプ室６Ｌを通って電源室６Ｐへ空気を分流させるときは、エキシマランプ２から放射された紫外線が空気を透過することにより十分に減衰している位置で分流させる。なお、ランプ室６Ｌを介さず、エキシマランプ装置１の外部の空気を直接流入するようにしても良い。
【００２２】
電源室６Ｐ内に流入した空気は、電源３などを冷却する。ランプ室６Ｌに流入した空気は、吸気側遮光板７Ａを迂回して、エキシマランプ２の周囲を流れ、排気側遮光板７Ｂを迂回した後に、電源室６Ｐから放出される空気と合流して、排出口８Ｂからエキシマランプ装置１の外部（大気中）へ放出される。電源室６Ｐ内を流れた空気を、ランプ室６Ｌ内を流れた空気と合流させるときは、エキシマランプ２により生成されたオゾンが電源室６Ｐ内へ逆流することを防ぐのに十分な流量で、ランプ室６Ｌへ流入させると良い。なお、ランプ室６Ｌを介さず、エキシマランプ装置１の外部（大気中）へ直接流出するようにしても良い。
【００２３】
エキシマランプ２は、石英ガラスなどの誘電材料から成り、断面が円形である管の両端部を溶融封止して成形した放電容器を備える。放電容器の肉厚は、紫外線による放電容器の劣化を防ぐ厚さを有し、その一方、放電開始電圧や点灯維持電圧を上げる厚さ以下に定めるのが良い。例えば、放電容器の肉厚は、０．８ｍｍ〜１．５ｍｍの範囲に定められる。放電容器の内径は、放電距離が短くなって照度不足が起きず、一方で放電距離が長くなって放電不安定とならないようにするのが望ましく、例えば、８ｍｍ〜２０ｍｍの範囲内に定められる。放電容器の軸方向長さは、３０ｍｍ〜１００ｍｍに定められている。
【００２４】
放電容器の内部には、ランプ軸方向に沿って延びる帯状の内側電極が配置されている。内側電極の材質は、導電性の高い金属あるいは合金によって成形する。内側電極の厚さは、電流容量や膨張係数を考慮して定めるのが望ましく、例えば、２０μｍ〜５０μｍのいずれかの範囲に定められる。また、内側電極の幅は、電流容量を考慮して定めるのが望ましく、例えば、１．２ｍｍ〜１０ｍｍの範囲内に定める。
【００２５】
内側電極は、断面が略円形状である柱状誘電体によって被覆されており、放電空間に露出せずに誘電体内に埋設されている。柱状誘電体は、使用温度での電極熱膨張率と近似している絶縁材料によって構成する。また、誘電体の厚さは、絶縁性を維持する一方で放電開始電圧が高くなるのを防ぐことを考慮し、０．１ｍｍ〜２ｍｍの範囲である。
【００２６】
放電容器の外面には、導電線からなる外側電極が放電容器の外表面（紫外線放射面）を露出するように、所定間隔を空けて螺旋状に巻き付けられている。
【００２７】
内側電極と外側電極の極性は、それぞれ陽極と陰極に定められている。放電容器内の陰極と陽極とが対向しているランプ軸方向範囲（有効発光領域）において放電する。陰極と陽極との間の放電距離は、放電用ガスの種類や印加電圧などによって定められる。放電距離が狭くなって照度不足になるのを防ぐ一方、放電距離が長くなって放電不安定になるのを防ぐため、放電距離を３ｍｍ〜１０ｍｍの範囲に定める。更に、放電距離は、有効発光領域のランプ軸方向範囲において均一距離（一様）にすることにより、ランプ軸方向に一様な放電を得ることができる。ここで、放電距離が均一であるとは、放電距離が厳密に一定である必要はなく、エキシマランプの使用目的により許容されるランプ軸方向に対する放電の一様性を満たす程度に、放電距離の誤差は許容できる。
【００２８】
放電容器内には、放電用ガスが封入されている。放電用ガスの封入圧は、例えば５ｋＰａ〜１５０ｋＰａに定められる。本実施形態においては、放電用ガスとしてＸｅガスを封入した。
【００２９】
エキシマランプに数ｋＶの電圧が印加されると、誘電体バリア放電が生じ、所定スペクトルのエキシマ光が放射される。例えば、放電用ガスがＸｅガスでは１７２ｎｍ、Ａｒガスでは１２６ｎｍ、Ｋｒガスでは１４６ｎｍ、ＡｒＢｒガスでは１６５ｎｍ、ＡｒＦガスでは１９３ｎｍ、ＫｒＣｌガスでは２２２ｎｍ、ＸｅＩガスでは２５３ｎｍ、ＸｅＣｌガスでは３０８ｎｍ、ＸｅＢｒガスでは２８３ｎｍ、ＫｒＢｒガスでは２０７ｎｍの波長を含む紫外線が放射される。
【００３０】
ランプ室６Ｌにおいて始動補助光源４とエキシマランプ２の間は、気体（空気、紫外線照射により生成されたガスなど）で満たされており、紫外光透過窓のような空間を遮る物は無く、始動補助光源４の紫外線放射面とエキシマランプ２の紫外線放射面との間は空間的に連通した状態で対向している。即ち、始動補助光源４はエキシマランプ２から放射される紫外線に曝された状態である。
【００３１】
始動補助光源４からは、波長４００ｎｍ以下の紫外線をエキシマランプ２の放電容器内に封入されたＸｅガスに向けて放射されるので、エキシマランプ２の始動に要する印加電圧を低減することができる。始動補助光源４は、エキシマランプ２に電圧を印加する前から、印加開始後１分程度の時間は照射する。
【００３２】
始動補助光源４は、エキシマランプ２から放射される紫外線が実質的に照射されない距離Ｌ１０に配設されることにより、紫外線により急速に劣化することを防ぐ。
【００３３】
本発明による「紫外線が実質的に照射されない」とは、エキシマランプ２から放射される紫外線に感度を有する照度計を用いて、エキシマランプ２の放電容器の外表面（紫外線放射面）付近の照度を１００％としたとき、放電容器の外表面（紫外線放射面）から空気中で一定距離以上離れたときの照度が１０％未満となる状態をいう。具体的には、波長１７２ｎｍ付近にピーク感度を有する照度計を用いて、放電容器にＸｅガスが封入されたエキシマランプ２の放電容器の外表面付近の照度が１０〜１７［ｍＷ／ｃｍ２］であったとき、エキシマランプ２の放電容器の外表面から空気中で３０ｍｍ離れると、空気を透過することにより減衰して１［ｍＷ／ｃｍ２］程度と成る。このように、エキシマランプ２から始動補助光源４に照射される紫外線の照度が微小である状態をいう。
【００３４】
このような状態が「紫外線が実質的に照射されない」という状態であり、このような状態となる始動補助光源の紫外線放射面とエキシマランプの紫外線放射面との間の距離Ｌ１０を「エキシマランプから放射される紫外線が始動補助光源には実質的に照射されない距離」という。このような距離Ｌ１０となる位置に始動補助光源４を配設することにより、エキシマランプから放射される紫外線が実質的に照射されないので、エキシマランプ２の標準使用期間中（数百〜数千時間）においては、始動補助光源４が急速に劣化することを防ぐことができる。本実施形態においては、空気中にエキシマランプ２と始動補助光源４を配設したときには、上記距離Ｌ１０は２０ｍｍ以上とすると良い。更に好ましくは、３０ｍｍ以上とすると良い。
【００３５】
本実施形態で用いた小型のエキシマランプ２の放電容器は、内径が８ｍｍ〜２０ｍｍ、肉厚が０．８ｍｍ〜１．５ｍｍであるので、内径が小さく、内径に対する肉厚の割合が大きい。そのため、始動補助光源４からエキシマランプ２へ照射される紫外線が、放電容器の曲率が大きいことや、肉厚が厚いことによる影響を受けやすく、点灯始動性を改善する効果が得られ難い。そこで、始動補助光源４から放射された紫外線がエキシマランプ２の放電容器の外表面（紫外線放射面）へ垂直に入射するように、始動補助光源４を配設すると良い。好ましくは、エキシマランプ２の中心軸の軸方向中央に向けて、始動補助光源４の紫外線放射面が対向するように配設すると良い。
【００３６】
なお、本発明による点灯始動性とは、エキシマランプに電圧を印加して、放電容器内の放電から所望な放射スペクトルが得られる安定点灯状態に至る確実さ（確率［％］）により把握することができる。エキシマランプは、低温状態や暗黒状態や長時間の休止状態後であっても、点灯始動性の確実さは１００％である信頼性が必要である。本実施形態においては、大型の点灯用電源を用いることなく、確実に（ほぼ１００％の確率で）安定点灯状態に至らせることができた。
【００３７】
このように、始動補助光源４から放射された紫外線の一部のみが放電用ガスに照射することができるので、距離Ｌ１０は、５０ｍｍ以下とすると良い。更に好適には、４０ｍｍ以下とすると良い。このような距離となる位置に始動補助光源４を配設することにより、始動補助光源４から放射された紫外線を有効活用することができるので、始動補助光源４は最小限の電力で点灯させることができ、始動補助光源４の寿命を延ばし、小さい電源を用いた小型のエキシマランプ装置を提供することができる。
【００３８】
更に、エキシマランプ２から放射される紫外線の波長よりも、長い波長の紫外線を放射する始動補助光源を用いることで、空気中の紫外線透過率の波長による違いを利用して、放電用ガスに効率よく照射しても良い。更に、エキシマランプ２の放電容器は、エキシマランプ２から放射される紫外線の波長よりも、始動補助光源４から放射される紫外線の波長に対して高い透過性（紫外線の波長に対する透過率）を有すると良い。また、エキシマランプよりも指向性が高い配光特性の始動補助光源を用いることにより、小電力の始動補助光源であっても、放電空間の放電用ガスに向けて効率よく照射することができるため、大型の電源を用いる必要が無く、小型のエキシマランプ装置を提供することができる。
【００３９】
以上より、始動補助光源４の紫外線放射面とエキシマランプ２の紫外線放射面との間の距離は、エキシマランプ２から放射される紫外線（波長１７２ｎｍ）が実質的に届かない（紫外線が照射されない）距離であって、始動補助光源４から放射される紫外線（波長３９５ｎｍ）が届く（紫外線が照射される）距離に配置する。本実施形態においては、始動補助光源４の紫外線放射面とエキシマランプ２の紫外線放射面との距離Ｌ１０［ｍｍ］は、２０≦Ｌ１０≦５０  を満たすと良い。更に、好ましくは、３０≦Ｌ１０≦４０  を満たすと良い。
【００４０】
このような距離となる範囲に始動補助光源４を配設することにより、始動補助光源４はエキシマランプ２が放射する紫外線に曝された状態であっても、始動補助光源の急速な劣化を防ぐことができる。そのため、波長が２００ｎｍ以下の紫外光が紫外光透過窓から外部へ透過することを阻止するために、高価な紫外光透過窓を設置する必要が無いので、装置の構成が簡素と成り、小型のエキシマランプ装置を提供することができる。更に、始動補助光源と対向する部分の放電容器の形状を変更する必要が無いので、細径のエキシマランプに対しても適用することができる。
【００４１】
上記の本実施形態の構成により、始動補助光源４の急速な劣化を防ぐことができるが、始動補助光源４には照度計の測定限界以下の紫外線がエキシマランプの寿命期間中（数百〜数千時間）にわたって照射されるので、複数本のエキシマランプの寿命期間にわたって使用すると、所望な放射を維持できないおそれがある。そこで、エキシマランプ２の交換と共に、始動補助光源４も始動補助光源保持構造４Ａにより容易に交換できる構成とすることで、エキシマランプの点灯始動性が常に良好な状態に維持されたエキシマランプ装置を提供することができる。
【００４２】
エキシマランプ２から波長２００ｎｍ以下の紫外線が、ランプ室６Ｌ内の酸素を含有する空気に照射されることにより、オゾンが生成される。生成されたオゾンは、吸気ファン９により排気口８Ｂからエキシマランプ装置１の外部へ放出される。更に、生成したオゾンに波長２５５ｎｍ近傍の紫外線を照射して活性酸素と酸素に分解しても良い。このような機能を発揮させるために、オゾンの分解手段としての第２のエキシマランプを別途配置しても良い。
【００４３】
エキシマランプ２から放射された紫外線に対して非透過性を有する排気側遮光板７Ｂにより、エキシマランプ２から放射された紫外線が排気口８Ｂから放出されることを防ぐ。また、吸気側遮光板７Ａにより、吸気ファン９に照射されたり吸気口８Ａから放出されたりすることを防ぐ。また、電源側遮光板７Ｃにより電源３に照射されることを防ぐ。なお、遮光手段の非透過性は、エキシマランプ２から放射された紫外線を完全に遮断するだけでなく、少なくとも人や装置の損傷を防ぐことができる程度まで減衰させれば良い。例えば、可視光を透過する遮光手段を用いて、点灯（オゾン生成）を認知できるようにしても良い。
【００４４】
筐体６と吸気側遮光板７Ａと排気側遮光板７Ｂは、紫外線照射やオゾン生成に影響のない位置に配設される。遮光板７Ａ，７Ｂは、波長１７２ｎｍの紫外線が空気を透過することで減衰して実質的に照射されない距離よりも、エキシマランプ２に近い位置に配設すると良い。そのため、エキシマランプ２の紫外線放射面と吸気側遮光板７Ａ（吸気口８Ａ）との距離Ｌ１１［ｍｍ］と、エキシマランプ２の紫外線放射面と排気側遮光板７Ｂとの距離Ｌ１２［ｍｍ］は、エキシマランプ２の紫外線照射面と始動補助光源４の紫外線照射面（電源側遮光板７Ｃ）までの距離Ｌ１０［ｍｍ］よりも短くて良い。即ち、Ｌ１１≦Ｌ１２＜Ｌ１０  を満たすと良い。なお、エキシマランプ２の紫外線放射面と筐体６内面との距離（図示せず）は、始動補助光源４（電源側遮光板７Ｃ）までの距離Ｌ１０と同程度とすると良い。このような位置と成るように筐体６や遮光板７Ａ，７Ｂ，７Ｃ（これらを「遮光手段」と称す）をエキシマランプの周囲の少なくとも一部に設けることで、紫外線照射やオゾン生成の性能を低下させずに、小型のエキシマランプ装置を提供することができる。
【００４５】
エキシマランプ２から波長２６０ｎｍ付近の紫外線を照射することにより、室内から取り込んだ空気を殺菌することができる。また、エキシマランプ２が放射する紫外線により生成した活性酸素を、室内から取り込んだ空気と反応させることにより、空気の脱臭・殺菌を行うことができる。
【００４６】
室内から取り込んだ空気の脱臭・殺菌の効果を高め、小型のエキシマランプ装置１を提供するためには、エキシマランプ２の紫外線放射面と始動補助光源４の紫外線放射面との距離Ｌ１０［ｍｍ］、エキシマランプ２の紫外線放射面と吸気口８Ａ（吸気側遮光板７Ａ）との距離Ｌ１１［ｍｍ］、エキシマランプ２の紫外線放射面と排気口７Ｂ（オゾン除去手段）との距離Ｌ１３［ｍｍ］としたとき、  Ｌ１１≦Ｌ１２＜Ｌ１０≦Ｌ１３  を満たすと良い。
【００４７】
その他にも、エキシマランプ２から放射される紫外線が照射されることで空気脱臭・殺菌が行われる光触媒（図示せず）を配置しても良い。
【００４８】
エキシマランプ装置１の外部にオゾンを放出させないときは、排気口８Ｂにオゾン除去手段（図示せず）を配設することで、ランプ室６Ｌ内で生成されたオゾンを除去した後にエキシマランプ装置１の外部へ放出する。排気側遮光板７Ｂは不要ならば除去しても良い。
【００４９】
本発明における、「オゾン除去」とは、オゾンを完全に除去するだけでなく、空気に含まれるオゾンの量が少なくとも環境基準値以下とすることをいう。オゾン除去手段としては、活性炭，マンガン，コバルト，ニッケル，鉄，銀などの金属酸化物や水酸化物を用いることができる。
【００５０】
その他の応用例として、ランプ室６Ｌ内に被照射物５を配設して、被照射物５に塗布されたコーティングを硬化したり、被照射物５に対して脱臭・殺菌したり、表面改質等のＵＶオゾン処理を行うことができる。
【００５１】
表面改質に用いるＵＶオゾン処理とは、被照射物５に被着した汚染物質（炭素化合物）の化学結合を切断するのに要するエネルギーを紫外線にて与え、更に、オゾンの生成時に生じる活性酸素の強力な酸化力を効率よく組み合わせることにより、高分子化合物を酸化分解して低分子化合物とし、更にＨ２Ｏ、ＣＯ２、ＮＯＸなどの気体にまで酸化して揮発させる。ＵＶオゾン洗浄による表面改質の効果を確認するには、表面清浄度と表面張力（接触角）との密接な関係を利用して、表面汚染度の判定を表面張力測定で求めることができる。
【００５２】
被照射物５へのＵＶオゾン処理の効果を高め、小型のエキシマランプ装置を提供するためには、エキシマランプ２の紫外線放射面と始動補助光源４の紫外線放射面との距離Ｌ１０［ｍｍ］、エキシマランプ２の紫外線放射面と被照射物５との距離Ｌ１４［ｍｍ］、エキシマランプ２の紫外線放射面と筐体６内壁（遮光板）までの距離Ｌ１２［ｍｍ］としたとき、  Ｌ１４≦Ｌ１２＜Ｌ１０  を満たすと良い。
【産業上の利用可能性】
【００５３】
オゾン生成機能、空気脱臭・殺菌機能、被照射物の表面改質機能を備えたエキシマランプ装置において、簡素な構成によりエキシマランプの点灯始動性を改善できる小型のエキシマランプ装置を提供することができる。
【符号の説明】
【００５４】
１      エキシマランプ装置
２      エキシマランプ
３      電源
４      始動補助光源（ＵＶ−ＬＥＤ）
４Ａ    始動補助光源保持構造
５      被照射物
６      筐体
６Ｌ    ランプ室
６Ｐ    電源室
７Ａ    吸気側遮光板
７Ｂ    排気側遮光板
７Ｃ    電源側遮光板
８Ａ    吸気口
８Ｂ    排気口
９      吸気ファン
【図１】
0006564663.tif 000002